(57)【特許請求の範囲】
【請求項１】
人体の少なくとも口元を覆うマスク本体と前記マスク本体を前記人体の頭部に固定するためのマスク紐とを有するマスクの前記マスク紐を巻付け保持した状態で２つの耳それぞれに１つずつ装着されるマスク装着補助具であって、
長尺であり前記マスク紐が長手方向に沿って巻回された状態で前記マスクのマスク紐を保持する保持部と、
細長であり、長手方向の一端部で前記保持部を支持する支持部と、
細長であり、長手方向の一端部が前記支持部の長手方向における他端部に連続するとともに、前記マスク装着補助具が前記２つの耳それぞれに装着された状態で、前記２つの耳から人体の首部分に向かう第１方向側に凸となるようにＵ字状に湾曲し、前記２つの耳の前記第１方向側から前記２つの耳から後頭部に向かう第２方向側に亘る領域に配置されるＵ字部と、
細長であり、長手方向の一端部が、前記Ｕ字部の長手方向における他端部に連続するとともに、前記マスク装着補助具が前記２つの耳それぞれに装着された状態で、前記第１方向とは反対方向の第３方向に向かって凸となるように湾曲し前記２つの耳それぞれの前記第３方向側の端部に掛止される耳掛け部と、を備え、
前記保持部は、前記マスク紐における、前記保持部の前記第１方向側の端部から導出され前記マスク本体に至る部分の長さと、前記保持部の前記第３方向側の端部から導出され前記マスク本体に至る部分の長さと、を変更できる状態で、前記マスク紐を保持することを特徴とするマスク装着補助具。
【請求項２】
前記支持部は、前記支持部の長手方向の一端部が、前記保持部の長手方向における、前記マスク装着補助具が前記２つの耳それぞれに装着された状態で、前記第３方向側に配置される一端部に連続することを特徴とする請求項１に記載のマスク装着補助具。
【請求項３】
前記支持部の長さおよび前記保持部の長手方向に対する傾きは、前記保持部に保持された前記マスク紐が、前記人体の頭部の揉み上げに接触しないように設定されていることを特徴とする請求項１または２記載のマスク装着補助具。
【請求項４】
前記保持部の前記長手方向の長さは、４５ｍｍ〜６０ｍｍに設定されていることを特徴とする請求項１から３のいずれか１項に記載のマスク装着補助具。
【請求項５】
前記Ｕ字部は、弾性を有することを特徴とする請求項１から４のいずれか１項に記載のマスク装着補助具。
【請求項６】
前記Ｕ字部は、両端部の間の距離を予め設定された範囲を超える距離だけ離間させると、塑性変形させることができることを特徴とする請求項１から５のいずれか１項に記載のマスク装着補助具。
【発明の詳細な説明】
【技術分野】
【０００１】
本発明は、マスク装着補助具に関する。
【背景技術】
【０００２】
昨今においては、ウイルス感染症の予防対策で、人と人が近い距離で接するときは、フェイスシールドや衛生マスク（以下、「マスク」という。図１２）の着用は片時も欠かせない。図２は、マスクを着用している人の斜視図である。一般的には、マスクの耳掛け紐（以下、「マスク紐」という。）を耳に掛ける。
しかし、理容所、美容所などの施設（以下，単に「施設」という。）に於いて行われるパーマネントウェーブ、結髪、染毛、及びヘアカットなどの施術（以下、「毛髪加工」という。）の際に、図２に示すように、マスク上紐２ａが、マスク着用者の耳介前の頭髪（以下、「揉み上げ」という。）に掛かるため毛髪加工の妨げとなる。  
この問題点に対して、下記［特許文献1、特許文献２及び特許文献３］では、装着者の皮膚に粘着面でマスクを貼り付けることで、マスク紐を無くしたマスク（紐なしマスク）の発明や考案が開示されている。
また、下記［特許文献４、特許文献５及び特許文献６］では、左右のマスク紐を耳下から後頭部下の首筋で繋ぐ器具の発明や考案が開示されている。
【先行技術文献】
【特許文献】
【０００３】
【特許文献１】特開2014-161715号公報
【特許文献２】特許第5421507号公報
【特許文献３】実用新案登録第3223201号公報
【特許文献４】特開2015-93036号公報
【特許文献５】実用新案登録第3200050号公報
【特許文献６】特開2013-252339号公報
【発明の概要】
【発明が解決しようとする課題】
【０００４】
しかしながら、マスクを粘着面で顔面に貼り付ける特許及び考案（特許文献1、特許文献２及び特許文献３）は、粘着部が化粧をした顔面に張り付き難く、マスクが剥がれやすくなる。  また、顔面に粘着テープを貼ることで肌荒れなどの恐れがある。
【０００５】
また、マスク紐を首筋で繋ぐ器具を使う特許及び考案（特許文献４、特許文献５及び特許文献６）は、マスク紐２の上下の紐（２a、２b）が耳下を通る使用例がある。この使用例にあっては、マスク紐２ａが揉み上げ２７に掛かることはないが、マスク紐２及び前記器具が襟足に掛かり毛髪加工を妨げる。
【０００６】
本発明は以上の課題を解決するために、マスク装着補助具をマスク紐に巻き付けて耳に掛けて使用することで、揉み上げ２７の毛髪加工を可能にするマスク装着補助具を提供することを目的とする。
【課題を解決するための手段】
【０００７】
本発明は、マスク紐を巻付け保持して耳に掛けるマスク装着補助具であって、
マスクの紐を巻付け保持する保持部３３と、前記保持部３３を支える支持部４３と、前記支持部に繋がったＵ字部６３と、
前記Ｕ字部６３に繋がり、前記マスク装着補助具を前記耳の後ろ側から前記耳に掛ける耳掛け部５３と、を備え、前記マスク装着補助具が前記耳に掛けられたとき、前記Ｕ字部は前記耳の下側及び前記耳の後ろ側に配置されることを特徴とする。
【発明の効果】
【０００８】
本発明のマスク装着補助具を使用すれば、マスクを装着したまま、揉み上げの毛髪加工を可能にすることができる。
【図面の簡単な説明】
【０００９】
【図１】本発明の一実施形態によるマスク装着補助具３の使用状態の全体を示す斜視図である。
【図２】マスクを通常に使用した状態の全体を示す斜視図及びそのマスク紐と揉み上げ部分の拡大図である。
【図３】本発明の一実施形態によるマスク装着補助具３の保持部にマスクの紐を巻付けて保持しようとする説明図である。
【図４】本発明の一実施形態による左右一対のマスク装着補助具３を説明した斜視図である。
【図５】本発明の一実施形態によるマスク装着補助具４の使用状態の全体を示す斜視図である。
【図６】本発明の一実施形態による左右一対のマスク装着補助具４を説明した斜視図である。
【図７】本発明の一実施形態によるマスク装着補助具３と、マスク装着補助具４の紐掛け口を示した図である。
【図８】本発明の一実施形態によるマスク装着補助具３を装着し使用したときのマスク紐の張力の方向を示した図である。  「Ａ」図は通常のマスクを装着した様子で、「Ｂ」図はマスク装着補助具を装着した様子で、「Ｃ」図は「Ａ」と「Ｂ」を重ねた図である。
【図９】本発明の一実施形態によるマスク装着補助具にマスク紐を巻き付ける様子を表した斜視図である。
【図１０】本発明の一実施形態によるマスク装着補助具のＵ字部の変形により、保持部と耳掛け部の間隔を調整する様子を表した斜視図である。
【図１１】本発明の一実施形態によるマスク装着補助具３の装着時の、マスク紐が伸縮が可能な様子を表した斜視図である。
【図１２】一般的なマスクを示す図である。
【発明を実施するための形態】
【００１０】
本実施形態のマスク装着補助具３は、図4に示すように、左右一対の装着補助具からなり、マスク紐２の巻付け保持部３３と、支持部４３と、耳掛け部５３と、前記耳掛け部５３と前記支持部４３とを繋ぐＵ字部６３と、とを含む。
【００１１】
前記マスク装着補助具３の前記耳掛け部５３は、装着者の耳下から耳上に後ろ側から掛かるフック状で、その先端の耳掛け先端部５３ａは耳介上部付け根の前に位置する。
【００１２】
図２に示すように、通常のマスク装着状態の多くは、耳に掛かるマスク紐２ａが揉み上げ２７に掛かる。そのことにより、毛髪加工の妨げになる。 前記マスク装着補助具３は、前記マスク紐２を保持する。前記マスク装着補助具３は、耳及び揉み上げ２７に掛かる紐を無くし、そのことにより、マスクを装着したままの、毛髪加工を可能にする。（図１参照）
【００１３】
前記マスク装着補助具３の保持部３３の縦幅が、好ましくは４５ｍｍ〜６０ｍｍあることによって、前記保持部３３のマスク上紐２ａとマスク下紐２ｂの間隔を通常の着用と同等に保つことができる。図３、図４参照）
【００１４】
前記保持部３３の紐掛け口３３ａは、マスク紐を巻き付ける際の入り口である。前記紐掛け口３３ａの内側の幅は、好ましくは、３．０ｍｍ〜８．０ｍｍあることで、他者によるマスク紐の巻付けを可能にする。（図４、図７参照）
【００１５】
前記耳掛け部５３と前記支持部４３との間に繋がり、Ｕ字状に曲がるＵ字部６３が弾性を有することで、マスクの着脱時やマスク装着中のマスクの位置の変化に対して柔軟で安定的な装着を可能にする。
【００１６】
本実施形態のマスク装着補助具の前記Ｕ字部６３を変形させることによって、保持部３３と耳掛け部５３の間隔を調整することが可能で、マスク着用者の骨格に合わせた、適切な着用ができる。この調整は、前記Ｕ字部６３を手の外力で、弾性を示す範囲の変形（以下、弾性変形という）を超えて、もとに戻らない変形（以下、塑性変形）をすることで行う。（図１０参照）
【００１７】
図８は、通常のマスク装着時のマスク紐の張力の方向１６と、本発明のマスク装着補助具を使用したマスク装着時のマスク紐の張力の方向２６を表した図である。
図８のＡは、通常のマスク着用時のマスク紐の張力の方向１６を表した図で、
図８のＢは、本実施形態のマスク装着補助具を使用したマスク装着時のマスク紐の張力の方向２６を表した図で、
図８のＣは、上記図８のＡと上記図８のＢを重ねた、上記張力の方向１６と上記張力の方向２６の違いを表した図である。
上記図８は、上記張力の方向２６と上記張力の方向１６とを比較して、マスク紐の張力の方向１６が、顔面に対して垂直方向に近づいたことを表した図である。このことで、顔面に密着するマスク本体の圧力が上下に偏らず均一になる。
なお、メガネを装着したときは、マスク上端部２１と顔面との隙間が減ったことで息漏れが減り眼鏡を曇りにくくする。
【００１８】
本実施形態のマスク装着補助具３は、マスク紐２を耳に掛けた通常の状態から、他者（施設の者等）が片方の耳からマスク紐２を外し、前記マスク装着補助具３にマスク紐２を巻付け保持する。これを前記マスク装着補助具３を装着者の耳に掛ける。続いて、もう片方のマスク紐にも同じ手順で実施することによって、装着者の顔面からマスクを外すこと無く、前記マスク装着補助具３を装着することができる。（図３、図７、図９参照）
【００１９】
本実施形態の図１２のマスク紐は、伸縮性を有する。
また、保持部３３はマスク紐２を固定しない。これにより、保持部３３の内部にあってもマスク紐２は伸縮し、前記マスク紐の両端の間を、前記保持部３３は移動ができる。図１１は上記の伸縮の様子を矢印で表したものである。
【００２０】
図５及び図６は、本発明の別の実施形態を表すマスク装着補助具の図である。
前記マスク装着補助具４の保持部３４の紐掛け口３４ａの幅は、１．０ｍｍ〜３．０ｍｍが好ましい。巻き付けられた前記マスク紐は、前記紐掛け口３４ａの入り口が狭いことにより外れにくい。マスク着用者自身で前記マスク装着補助具４を装着する場合は、マスク紐を巻き付けた後に、これを装着することができる。マスク装着補助具４は、マスク装着補助具３と同様の装着も可能である。
【実施例】
【００２１】
図１及び図５のように、本実施の形態において、マスク装着補助具の装着は、マスク紐にマスクを顔面に密着させる必要十分な張力が必要で、着用者の体形に合わせた保持部３３と耳掛け部５３の間隔の調整が必要である。  
マスク装着補助具は、本実施の形態では手の力によって変形が可能な硬さの針金で、ナマシ鉄線に亜鉛メッキを施し硬質塩化ビニールを均一に被膜したものである。
上記針金は、装着者の金属アレルギーの可能性や、毛髪加工中に使用されるパーマ剤、染毛剤などの薬剤との化学反応の可能性も無く安全で、制作費用が安価である。
【００２２】
図１０は上記の調整の様子を表したもので、  Ｕ字部６３の塑性変形によって、保持部３３と耳掛け部５３の間隔を調整する。  そのことにより、マスク装着補助具の耳掛け先端部５３ａを、耳珠３７の上方で耳介１７の付け根の前に、位置させる（図１参照）。図１０の様にＵ字部の両端の辺りを指で持って外力を与えてＵ字部６３を塑性変形をさせる。
【００２３】
図３及び図９で示すように、他者よるマスク装着補助具３の装着は、一例として、通常に装着しているマスクのマスク紐の片側を耳から外し、支持部４３の中央を指で摘み保持部３３にマスク紐２の１周半の巻き付けをして保持する。  マスク紐２の張力を保ちながら耳掛け部５３を耳に掛ける。マスク装着補助具３の取り外しは、取り付けの逆手順を行う。
紐掛け口３３ａの幅は、３．０〜８．０ｍｍが好ましい。これにより、前期の方法で装着ができる。
【００２４】
マスク装着補助具を使用して染毛の毛髪加工を繰り返し行ったが、マスク紐を汚すことはなかった。
【符号の説明】
【００２５】
１    マスク本体
２１    マスク上端部
３１    マスク側端部
４１    マスク下端部
２マスク紐
２ａ    マスク上紐
２ｂ    マスク下紐
３本発明マスク装着補助具
３３     保持部
３３ａ    紐掛け口
４３     支持部
５３     耳掛け部
５３ａ  耳掛け先端部
６３    Ｕ字部
４    マスク装着補助具
３４保持部
３４ａ    保持部開口部
１６    通常着用時のマスク紐の張力の方向
２６    補助具使用時のマスク紐の張力の方向
１７    耳介
２７    揉み上げ
37    耳珠
【要約】      （修正有）【課題】理容所、美容所などの施設に於いて毛髪加工（パーマネントウェーブ、結髪、染毛、カッティングをいう。）を行う際に、マスク紐がマスク着用者の耳介前の頭髪（揉み上げ）に掛かり毛髪加工の妨げとなる。本発明は以上の問題点の課題を解決するために、マスク装着補助具をマスク紐に取り付けて耳に掛けて使用することで、揉み上げの毛髪加工を可能にするマスク装着補助具を提供する。【解決手段】本発明は、マスク紐２を巻付け保持して耳に掛けるマスク装着補助具３であって、マスクの紐を巻付け保持する保持部３３と、前記保持部３３を支える支持部と、前記支持部に繋がったＵ字部と、前記Ｕ字部に繋がり、前記マスク装着補助具を前記耳の後ろ側から前記耳に掛ける耳掛け部と、を備え、前記マスク装着補助具が前記耳に掛けられたとき、前記Ｕ字部は前記耳の下側及び前記耳の後ろ側に配置されることを特徴とする。【選択図】図１【図１】
0006976517.tif 000002
【図２】
0006976517.tif 000003
【図３】
0006976517.tif 000004
【図４】
0006976517.tif 000005
【図５】
0006976517.tif 000006
【図６】
0006976517.tif 000007
【図７】
0006976517.tif 000008
【図８】
0006976517.tif 000009
【図９】
0006976517.tif 000010
【図１０】
0006976517.tif 000011
【図１１】
0006976517.tif 000012
【図１２】
0006976517.tif 000013